(57)【特許請求の範囲】
【請求項１】
環状の気室及び当該気室に接合された床布を少なくとも有する基部と、
前記基部に着脱自在に設けられる天幕と、
前記天膜を支持するための支柱と、 
前記基部の前記床布の接地側及び前記気室の少なくとも接地側の外側壁を被覆する補強布とを備え、 
前記補強布は、前記床布の接地側の一部と接合されていることを特徴とする災害用テント。
【請求項２】
前記気室は、多段構造であり、該多段構造の気室の中で少なくとも前記床布が接合されている最下段の気室の外側壁は前記補強布で被覆されていることを特徴とする請求項１に記載の災害用テント。
【請求項３】
前記支柱は、前記床布に位置する床支柱座と前記天幕に位置する天幕支柱座とに着脱可能に係合することを特徴とする請求項１または請求項２に記載の災害用テント。
【請求項４】
前記補強布を構成する原糸は、耐摩耗性及び耐屈曲疲労性が１００００サイクル以上、耐突き刺し性が４００Ｎ以上、耐候性が原強の８０％以上の物性を有する原糸を含むことを特徴とする請求項１乃至請求項３のいずれかに記載の災害用テント。
【発明の詳細な説明】
【技術分野】
【０００１】
本発明は、災害用テントに係り、特に膨張式の基部を備える災害用テントに関する。
【背景技術】
【０００２】
集中豪雨、洪水等の災害時には、学校の体育館、校舎、校庭等が避難場所として被災者に提供される。体育館等の施設は、風雨、冷気、日照等から被災者を守ることができるが、間仕切りがなく、被災者が段ボール板等を使用して間仕切りを設けても、プライバシー保護の観点からは問題があった。
また、校庭等の屋外避難場所では、風雨、冷気、日照等を防ぐためにテントが使用される。災害用のテントは、非使用時には、コンパクトに折り畳むことができ、保管、運搬が容易であることが要求される。しかし、従来のテントは、骨格となる金属パイプ等の支持材と、合成樹脂シート等の天幕を有し、重量、折り畳み時のコンパクト性において、上記のような要求には十分に応えられないものであった。また、テント設営時には、支持材の組み立てと、組み立てた支持材への天幕の取り付けが必要となり、テント解体時には、天幕の取り外し、支持材の解体が必要であり、作業が煩雑であった。
上記のような問題点を解消するものとして、空気膨張式のテントが開発されている。この空気膨張式テントは、空気を充填することにより支柱、梁等を形成する複数の気室を有し、気室に空気を充填することによりテントの骨格を形成し、これに天幕等を取り付けるものである。
【先行技術文献】
【特許文献】
【０００３】
【特許文献１】特開平１１−６２３２１号公報
【特許文献２】特開２００３−６４９０６号公報
【発明の概要】
【発明が解決しようとする課題】
【０００４】
しかし、従来の空気膨張式のテントは、一度設営した後に移動した場合、気室に歪みが生じて、空気の漏洩、天幕の脱落等を生じることがあり、状況に応じて設営場所を随時変更することが難しいものであった。また、仮に屋外避難場所が集中豪雨、洪水等による水害に襲われた場合、被災者の安全を確保できないという問題があった。
本発明は、このような実状に鑑みてなされたものであり、安全性、利便性を備え、被災者の一時避難場所として機能する災害用テントを提供することを目的とする。
【課題を解決するための手段】
【０００５】
このような目的を達成するために、本発明は、環状の気室及び当該気室に接合された床布を少なくとも有する基部と、前記基部に着脱自在に設けられる天幕と、前記天膜を支持するための支柱と、前記基部の前記床布の接地側及び前記気室の少なくとも接地側の外側壁を被覆する補強布とを備え、前記補強布は、前記床布の接地側の一部と接合されているような構成とした。
【０００６】
本発明の他の態様として、前記気室は、多段構造であり、該多段構造の気室の中で少なくとも前記床布が接合されている最下段の気室の外側壁は前記補強布で被覆されているような構成とした。
本発明の他の態様として、前記支柱は、前記床布に位置する床支柱座と前記天幕に位置する天幕支柱座とに着脱可能に係合するような構成とした。
本発明の他の態様として、前記補強布を構成する原糸は、耐摩耗性及び耐屈曲疲労性が１００００サイクル以上、耐突き刺し性が４００Ｎ以上、耐候性が原強の８０％以上の物性を有する原糸を含むような構成とした。
【発明の効果】
【０００７】
本発明の災害用テントは、空気を注入し膨張させて迅速に基部を形成し、この基部に天幕を装着して使用する状態とすることができ、被災者の安全を確保できる一時避難場所として機能する。また、基部により形状の維持が可能であるため、移動が容易であり、基部の接地側には補強布が位置しているので、気室や床布に損傷が及ぶことが防止され、信頼性が高いものである。また、集中豪雨、洪水等による水害に襲われた場合には、ボートのような浮力体として機能することができ、被災者の安全を確保することができる。また、使用状態とされた災害用テント１を屋内の避難場所で使用したときには、プライバシーの確保が可能である。また、空気を抜いた基部は、天幕とともにコンパクトに折り畳むことができ、非使用時における保管場所の省スペース化が可能であり、また、運搬が容易である。
【図面の簡単な説明】
【０００８】
【図１】図１は、本発明の災害用テントの一実施形態を示す平面図である。
【図２】図２は、図１に示される災害用テントのＩ−Ｉ線における拡大縦断面図である。
【図３】図３は、本発明の災害用テントの他の実施形態を示す図２相当の縦断面図である。
【図４】図４は、本発明の災害用テントの他の実施形態を示す図２相当の縦断面図である。
【図５】図５は、本発明の災害用テントの他の実施形態を示す図２相当の縦断面図である。
【図６】図６は、本発明の災害用テントの他の実施形態を示す図２相当の縦断面図である。
【発明を実施するための形態】
【０００９】
本発明の実施形態について図面を参照しながら説明する。
尚、図面は模式的または概念的なものであり、各部材の寸法、或いは、各部材間の寸法の比等は、必ずしも現実のものと同一とは限らず、また、同じ部材等を表す場合であっても、図面により互いの寸法や比が異なって表される場合もある。
【００１０】
図１は、本発明の災害用テントの使用状態における一実施形態を示す平面図であり、図２は、図１に示される災害用テントのＩ−Ｉ間の一点線における拡大縦断面図である。図１および図２において、本発明の災害用テント１は、環状の気室１２と、この気室１２に接合された床布１３と、補強布１４と、を有する基部１１と、基部１１に着脱可能に設けられている天幕２１と、天幕２１を支持する支柱３１と、を備えている。基部１１を構成する補強布１４は、床布１３の接地側１３ａ、および、気室１２の接地側の気室１２Ａの外側壁１２ａを被覆している。
災害用テント１の平面視形状は、やや細長い六角形である。したがって、床布１３の外形は、やや細長い六角形であり、この床布１３の周囲に気室１２が接合されている。このように、平面視形状が六角形である災害用テント１は、限られた広さの避難場所に複数個を設営する場合、被災者の通路を確保した上でより密に設営することができ好適である。
【００１１】
気室１２は、気室１２Ａと気室１２Ｂとが接着剤で接合された２段構造を有しており、接地側（使用時の下段側）の気室１２Ａと床布１３とが接着剤で接合されている。この接地側の気室１２Ａの外側壁１２ａには接合部材１５が設けられている。そして、気室１２Ａの外側壁１２ａと床布１３の接地側１３ａを被覆する補強布１４の端部１４ａが接着剤で接合部材１５に接合されている。また、上段側の気室１２Ｂの外側壁１２ｂの所定箇所（図１に示す例では８箇所）には、天幕２１を着脱自在に装着するための基部側留具１７が配設されている。
このように気室１２が２段構造を有することにより、仮に気室１２Ａと気室１２Ｂのいずれか一方が破損した場合でも、残りの気室により基部１１が維持され、テントとしての機能が確保される。尚、気室１２の段数は２段に限定されず、３段以上の多段であってもよい。
【００１２】
２段構造の気室１２を構成する気室１２Ａ，１２Ｂは、断面形状が円形となるように形成されており、材質としては、柔軟性を有すると共に所望の強度を有し気密性に優れたゴム引き布を挙げることができる。例えば、国土交通省が定める救命いかだの型式承認試験基準の膨脹式いかだの材料試験（主気室、天幕支柱気室及び床を構成するゴム引き布の試験）に準拠した判定基準を満足するゴム引き布を使用することができる。このような気室１２を構成する気室１２Ａ，１２Ｂには、それぞれ空気注入口（図示せず）と空気排出口（図示せず）が設けられている。尚、空気注入口が空気排出口を兼ねるものであってもよい。また、必要に応じて、気室１２を構成する気室１２Ａ，１２Ｂに加圧防止用の安全弁を設けてもよい。
また、基部１１を構成する床布１３の内部側１３ｂには、床支柱座１６が配設されている。この床支柱座１６は、支柱３１の一方の先端部３１ａが着脱可能に係合するものであり、図１に鎖線で示した２箇所に配設されている。
【００１３】
床布１３の材質としては、柔軟性を有すると共に所望の強度を有し気密性に優れたゴム引き布を挙げることができる。例えば、国土交通省が定める救命いかだの型式承認試験基準の膨脹式いかだの材料試験（主気室、天幕支柱気室及び床を構成するゴム引き布の試験）に準拠した判定基準を満足するゴム引き布を使用することができる。この床布１３は、上記の気室１２と同じゴム引き布であってもよい。また、床支柱座１６の材質は、アルミニウム、ステンレス鋼等の金属、カーボンブラック、硬質プラスチック等、支柱３１の先端部３１ａを確実に係止できるものであればよい。床支柱座１６と支柱３１の先端部３１ａとの係合は、床支柱座１６に設けた凹部へ先端部３１ａを嵌着するもの、あるいは螺着するもの等、特に制限はない。
また、接合部材１５は、補強布１４の端部１４ａから気室１２Ａに作用する外力を緩和し、気室１２Ａを保護するものであり、例えば、気室１２と同じゴム引き布を接着剤で気室１２Ａに接合したものであってよい。このような接合部材１５は、接地側の気室１２Ａの外側壁１２ａの周囲に連続した状態で設けることができ、また、所定間隔で設けてもよく、配設位置は、補強布１４を保持可能なように適宜設定することができる。
【００１４】
本発明の災害用テント１の基部１１を構成する補強布１４は、柔軟性を有すると共に所望の強度を有する繊維布である。補強布１４に使用する原糸に要求される物性としては、例えば、耐摩耗性及び耐屈曲疲労性が１００００サイクル以上、耐突き刺し性が４００Ｎ以上、耐候性が原強の８０％以上のような物性が挙げられる。このような補強布１４としては、例えば、東洋紡（株）製  ダイニーマ等の有機繊維等が挙げられる。また、補強布１４は、上記のような物性を具備した原糸を使用した繊維布とともに、例えば、ガラス繊維、カーボン繊維、アラミド繊維等を組み合わせて使用したものであってもよい。
ここで、上記の各強度項目の評価は下記の条件、試験方法により行う。
・耐摩耗性の評価    ：  ＪＩＳ  Ｌ  １０１５に準拠
・耐屈曲疲労性の評価：  ＪＩＳ  Ｒ  ３４２０に準拠
・耐突き刺し性の評価：  ＭＩＬ  Ｔ  ５２５７３Ｄ、ＭＩＬ  Ｔ  ６３９６Ｅ、  
ＴＳＯ−Ｃ６９ｃに準拠
・耐候性の評価      ：  ＪＩＳ  Ｌ  １０１５に準拠
【００１５】
本発明の災害用テント１を構成する天幕２１は、周縁部２１ａが気室１２の外形形状と同様であり、図示例では、頂部２１ｂが棟を構成する形状を有している。この天幕２１の周縁部２１ａには、上記の気室１２Ｂの外側壁１２ｂに配設されている基部側留具１７に対応するように複数（図示例では８個）の天幕側留具２２が配設されている。この天幕側留具２２は、基部側留具１７と着脱可能に係合できるものである。また、天幕２１の頂部２１ｂには、棟の両端（図１に鎖線で示した２箇所）に位置するように天幕支柱座２３が配設されている。この天幕支柱座２３は、支柱３１の他方の先端部３１ｂが着脱可能に係合するものである。天幕支柱座２３と支柱３１の先端部３１ｂとの係合は、特に制限はないが、作業性の点から、天幕支柱座２３に設けた凹部へ先端部３１ｂを嵌着するものが好適である。
また、図示では、天幕２１の１箇所には、開閉可能な出入り口２５が設けられている。この出入り口２５の位置、数は特に制限はない。
【００１６】
使用する天幕２１の材質としては、柔軟性を有すると共に所望の強度を有し気密性に優れたゴム引き布を挙げることができる。例えば、国土交通省が定める救命いかだの型式承認試験基準の膨脹式いかだの材料試験（外側天幕布を構成するゴム引き布の試験）に準拠した判定基準を満足するゴム引き布を使用することができる。また、天幕支柱座２３の材質は、アルミニウム、ステンレス鋼等の金属、カーボンブラック、硬質プラスチック等、支柱３１の先端部３１ｂを確実に係止できるものであればよく、床支柱座１６と同じ材質であってもよい。
また、支柱３１は棒状、パイプ形状いずれであってもよく、また、非使用時の省スペース化を考慮して、２本以上を継ぎ合わせて１本の支柱３１を構成するようにしてもよい。支柱３１の材質は、天幕２１を安定して支持できるものであればよく、アルミニウム、ステンレス鋼等の金属、カーボンブラック等であってよい。
【００１７】
このような災害用テント１は、空気注入口（図示せず）から気室１２Ａ，１２Ｂに空気を注入し膨張させて、基部１１を使用状態とすることができる。次いで、２箇所の床支柱座１６に支柱３１の先端部３１ｂを係合し、各支柱３１の先端部３１ａに天幕支柱座２３が係合するように天幕２１を基部１１上に配置する。そして、天幕２１の周縁２１ａに設けた天幕側留具２２と、基部１１に設けた基部側留具１７とを係合することにより、基部１１に天幕５６を装着することができ、災害用テント１を使用状態とすることができる。
このように使用状態とされた災害用テント１は、基部１１により形状の維持が可能であるため、移動してもテント機能が安定して得られ、これにより設営場所を随時変更することが可能である。また、基部１１の接地側には補強布１４が位置しているので、災害用テント１を地面等に対して摺動させながら移動しても、気室１２や床布１３に損傷が及ぶことが防止され、信頼性が高いものである。
【００１８】
また、集中豪雨、洪水等による水害に襲われた場合には、使用状態とされた災害用テント１はボートのような浮力体として機能する。さらに、屋外避難場所が集中豪雨、洪水等による水害に襲われた場合には、設営されていた災害用テント１が、そのままボートのような浮力体として機能することができ、被災者の安全を確保することができる。例えば、本発明の災害用テントは、国土交通省が定める救命いかだの型式承認試験基準の膨脹式いかだの材料試験（３０日間の係留試験）に準拠した判定基準を満足する耐久性を具備している。また、本発明の災害用テントは、アメリカ連邦航空局発行の航空機用救命ボートの規格（海上性能：風速８．８〜１４ｍ／秒および波高１．９〜３．１ｍの条件下で使用できること）を満足する安定性を具備している。また、本発明の災害用テント１は、ボートのような浮力体として機能する場合、床布１３の接地側１３ａ、および、気室１２の接地側の気室１２Ａの外側壁１２ａを被覆する補強布１４を有しているので、気室１２、床布１３が保護され、耐久性、信頼性に優れるものである。
【００１９】
また、使用状態とされた災害用テント１を屋内の避難場所で使用したときには、プライバシーの確保が可能である。
また、本発明の災害用テント１は、基部側留具１７と天幕側留具２２との係合を解除し、天幕２１、支柱３１を取り外し、気室１２Ａ，１２Ｂ内の空気を空気排出口（図示せず）から抜いてコンパクトに折り畳むことができる。したがって、非使用時における保管場所の省スペース化が可能であり、また、運搬が容易である。
【００２０】
図３は、本発明の災害用テントの他の実施形態を示す図２相当の縦断面図である。図３に示される災害用テント１では、床布１３の接地側１３ａの一部に、図１に示される矢印ａ方向に沿って並行に２本の接合部材１８が設けられ、この接合部材１８に接着剤で補強部１４が接合されている。この接合部材１８は、床布１３と補強布１４との摺動を抑制することにより、床布１３に作用する外力を緩和して、床布１３を保護するものである。また、接合部材１８によって床布１３と補強布１４とが接合されることにより、補強布１４の端部１４ａから接合部材１５に作用する応力が緩和される。このような接合部材１８は、例えば、床布１３と同じゴム引き布を接着剤で床布１３に接合したものであってよい。尚、接合部材１８の数、配設方向、形状は図示例に限定されるものではない。例えば、図１に示される矢印ａ方向に沿って、床布１３の中央に１本の接合部材１８が設けられたものであってもよい。
【００２１】
また、本発明の災害用テント１は、床布１３の接地側１３ａとともに気室１２の少なくとも接地側の外側壁１２ａが補強布１４で被覆されていればよく、補強布１４の端部１４ａを気室１２に接合する位置は特に制限がない。図４に示される災害用テント１では、２段構造の気室１２の上段側の気室１２Ｂの外側壁１２ａに接合部材１５が設けられており、気室１２Ａ，１２Ｂの外側壁１２ａと床布１３の接地側１３ａを被覆する補強布１４の端部１４ａが接着剤で接合部材１５に接合されている。接合部材１５は、上段側の気室１２Ｂの外側壁１２ａの周囲に連続した状態で設けてもよく、あるいは、所定間隔で設けてもよく、配設位置は、補強布１４を保持可能なように適宜設定することができる。尚、図４に示される実施形態においても、図３に示されるような接合部材１８を備えるものであってもよい。
【００２２】
また、図５は、本発明の災害用テントの他の実施形態を示す図２相当の縦断面図である。図５に示される災害用テント１では、基部１１を構成する気室１２が多段構造でなく１つの環状気室からなっている。この場合も、床布１３の接地側１３ａとともに気室１２の少なくとも接地側の外側壁１２ａが補強布１４で被覆されていればよく、補強布１４の端部１４ａを接合部材１５を介して気室１２に接合する位置は特に制限がない。尚、図５に示される実施形態においても、図３に示されるような接合部材１８を備えるものであってもよい。
【００２３】
また、図６は、本発明の災害用テントの他の実施形態を示す図２相当の縦断面図である。図６に示される災害用テント１では、補強布１４が、床布１３の接地側１３ａ、気室１２の少なくとも接地側の外側壁１２ａと接合された状態となっている。
上述の実施形態は本発明の例示であり、本発明はこのような態様に限定されるものではない。
例えば、上述の実施形態における床布１３の平面視形状は、やや細長い六角形であるが、床布１３の平面視形状には特に制限がなく、円形、四角形、多角形、楕円形、やや細長い多角形等であってよい。
【００２４】
また、天幕２１の頂部２１ｂの形状には特に制限はなく、例えば、天幕２１の頂部２１ｂには棟が存在せず、頂部２１ｂに１個の天幕支柱座２３が設けられており、これに対応するように床布１３にも１個の床支柱座１６が設けられ、支柱が１本であるような態様であってもよい。
さらに、本発明の災害用テントは、使用状態の災害用テントをロープ等によって地面等に固定するための係止部材を気室１２の外側壁１２ａに備えるものであってもよい。
【００２５】
また、本発明の災害用テントは、気室に空気注入口、空気排出口と共に、水注入口、水排出口を有するものであってもよい。例えば、災害用テント１の気室１２を構成する接地側の気室１２Ａが、空気注入口、空気排出口と共に、水注入口、水排出口を有する場合、災害用テント１を使用状態とするに際して、気室１２Ａの一部乃至全体を占めるように水を注入してもよい。これにより、基部１１が低重心になるとともに重量が増加するので、風に対する安定性が向上する。      
【産業上の利用可能性】
【００２６】
膨張式の災害用テントの製造、使用に利用可能である。
【符号の説明】
【００２７】
１…災害用テント
１１…基部
１２…気室
１２Ａ，１２Ｂ…気室
１２ａ…気室の外側壁
１３…床布
１３ａ…床布の接地側
１４…補強布
１６…床支柱座
２１…天幕
２３…天幕支柱座２３
３１…支柱
【図１】
0006560557.tif 000002
【図２】
0006560557.tif 000003
【図３】
0006560557.tif 000004
【図４】
0006560557.tif 000005
【図５】
0006560557.tif 000006
【図６】
0006560557.tif 000007